(57)【要約】 【課題】  ハウジング構造を提供する。【解決手段】  収容スペースを有するハウジングと、操作部と制限部とを有し、且つ第一位置と第二位置の間で移動できる方式で前記収容スペースに設置されると共に、前記制限部は前記操作部と接続される把持部材と、前記収容スペースに設置される第一ストッパーと、前記収容スペースに設置され、前記第一ストッパーの下方に位置される第二ストッパーとを含み、前記把持部材は前記第一位置に位置した時、前記操作部は前記第一ストッパーと接し、且つ前記把持部材は前記第二位置に位置した時、前記制限部は前記第二ストッパーと接するハウジング構造。【選択図】  図２Ａ
2012025464.tif 000002
【特許請求の範囲】
【請求項１】
収容スペースを有するハウジングと、
操作部と制限部とを有し、且つ第一位置と第二位置の間で移動できる方式で前記収容スペースに設置されると共に、前記制限部は前記操作部と接続される把持部材と、
前記収容スペースに設置される第一ストッパーと、
前記収容スペースに設置され、前記第一ストッパーの下方に位置される第二ストッパーとを含み、
前記把持部材は前記第一位置に位置した時、前記操作部は前記第一ストッパーと接し、且つ前記把持部材は前記第二位置に位置した時、前記制限部は前記第二ストッパーと接するハウジング構造。
【請求項２】
第一定位部と第二定位部を更に含み、前記第一定位部は前記第二ストッパーの下方に設置され、且つ前記第二定位部は前記第一定位部の下方に設置され、前記把持部材が前記第一位置に位置した時、前記制限部は前記第二定位部の下に制限される請求項１に記載のハウジング構造。
【請求項３】
前記第一定位部は弾性凸塊を含む請求項２に記載のハウジング構造。
【請求項４】
前記把持部材は前記第二位置に位置した時、前記制限部が前記第一定位部と前記第二ストッパーの間に制限される請求項２に記載のハウジング構造。
【請求項５】
前記把持部材は第三位置に位置した時、前記制限部が前記第一定位部と前記第二定位部の間に制限される請求項４に記載のハウジング構造。
【請求項６】
前記第二定位部は弾性凸塊を含む請求項４に記載のハウジング構造。
【請求項７】
前記操作部はＲ角を有する請求項１に記載のハウジング構造。
【発明の詳細な説明】
【技術分野】
【０００１】
本発明は、ハウジング構造に関し、特に、収納式の把持部材を有するハウジング構造に関するものである。
【背景技術】
【０００２】
図３は従来のハウジング構造である。図３を参照すると、従来、サーバーに応用されるハウジング構造１０において、通常は、運搬し易いように、ハウジング１１の両側に把持部材１２を設置し、把持部材１２はハウジング１１上で回転することができる。運搬する時、使用者に把持し易いように、把持部材１２を外向きに回転することができ、収納する時、把持部材１２をハウジング１１上の凹溝１３内に隠すことができる。しかし、従来の把持部材１２はハウジング１１のサイドに設置され、その受力の方向は水平面と垂直していないので、このタイプの把持部材１２は単に比較的に軽量な積載物のハウジング構造の積載だけに適用される。
【発明の概要】
【発明が解決しようとする課題】
【０００３】
本発明は、ハウジング構造を提供する。
【課題を解決するための手段】
【０００４】
本発明は収容スペースを有するハウジングと、操作部と制限部とを有し、且つ第一位置と第二位置の間で移動できる方式で前記収容スペースに設置されると共に、前記制限部は前記操作部と接続される把持部材と、
前記収容スペースに設置される第一ストッパーと、前記収容スペースに設置され、前記第一ストッパーの下方に位置される第二ストッパーとを含み、前記把持部材は前記第一位置に位置した時、前記操作部は前記第一ストッパーと接し、且つ前記把持部材は前記第二位置に位置した時、前記制限部は前記第二ストッパーと接するハウジング構造を提供する。
【０００５】
本発明において、ハウジング構造は第一定位部と第二定位部を更に含み、第一定位部は第二ストッパーの下方に設置され、且つ第二定位部は第一定位部の下方に設置され、把持部材が第一位置に位置した時、制限部は第二定位部の下に制限される。  
【０００６】
本発明において、第一定位部は弾性凸塊を含む。
【０００７】
本発明において、把持部材は第二位置に位置した時、制限部が第一定位部と第二ストッパーの間に制限される。
【０００８】
本発明において、把持部材は第三位置に位置した時、制限部が第一定位部と第二定位部の間に制限される。
【０００９】
本発明において、第二定位部は弾性凸塊を含む。
【００１０】
本発明において、操作部はＲ角を有する。
【発明の効果】
【００１１】
本発明のハウジング構造の把持部材は収容スペース内に垂直に移動する。その受力方向は水平面と垂直であるので、比較的に大きな重力を受けることができる。また、把持部材はハウジングの上方から取出す。この設計によって、ハウジングの周囲スペースの配置応用が更に弾力的に行える。
【図面の簡単な説明】
【００１２】
【図１Ａ】本発明のハウジング構造の概略図である。
【図１Ｂ】本発明のハウジング構造の概略図である。
【図２Ａ】本発明のハウジング構造の把持部材が第一位置に位置する概略図である。
【図２Ｂ】本発明のハウジング構造の把持部材が第三位置に位置する概略図である。
【図２Ｃ】本発明のハウジング構造の把持部材が第二位置に位置する概略図である。
【図３】従来のハウジング構造である。
【発明を実施するための形態】
【００１３】
本発明についての目的、特徴、長所が一層明確に理解されるよう、以下に実施形態を例示し、図面を参照にしながら、詳細に説明する。
【実施例】
【００１４】
図１Ａ、図１Ｂは本発明のハウジング構造の概略図である。図１Ａ、図１Ｂを参照すると、本発明のハウジング構造１００はハウジング１１０と二つの把持部材１２０を含むサーバーホストである。ハウジング１１０は二つの収容スペース１１１を有し、且つ二つの把持部材１２０はハウジング１１０の両サイドにそれぞれ設置され、且つ移動可能な方式で収容スペース１１１内に設置される。把持部材１２０は第一位置（図１Ａに示すように）に収納され、ハウジング１１０内に隠れることができる。または、使用者がサーバーを運搬したい時、ハウジング構造１００を運搬し易いように、把持部材１２０を収容スペース１１１内から第二位置（図１Ｂに示すように）に引っ張り出すことができる。
【００１５】
図２Ａ、図２Ｂ、図２Ｃは本発明のハウジング構造の把持部材が第一位置、第三位置、及び第二位置にそれぞれ位置する概略図である。図２Ａ〜図２Ｃを参照すると、ハウジング構造１００の各収容スペース１１１は第一ストッパー１３１と、第二ストッパー１３２と、一対の第一定位部１４１と、一対の第二定位部１４２とを更に含み、把持部材１２０は操作部１２１と制限部１２２を含み、操作部１２１はＲ角を有し、使用者がＲ角の所在する所から操作部１２１を上げやすいようにし、制限部１２２は操作部１２１と接続する。制限部１２２は第一定位部１４１と第二定位部１４２に合わせて、把持部材１２０の定位位置を制限することができる。
【００１６】
第一ストッパー１３１は収容スペース１１１に設置され、第二ストッパー１３２は第一ストッパー１３１の下方に設置され、第一定位部１４１は第二ストッパー１３２の下方に設置され、第二定位部１４２は第一定位部１４１の下方に設置され、把持部材１２０の制限部１２２は第二ストッパー１３２、第一定位部１４１、及び第二定位部１４２の間を移動でき、第一定位部１４１と第二定位部１４２は弾性凸塊を含み、制限部１２２が第一定位部１４１、または第二定位部１４２をそれぞれ跨いだ後、把持部材１２０を第一位置（図２Ａに示すように）、第二位置（図２Ｃに示すように）、または第三位置（図２Ｃに示すように）に定位することができる。
【００１７】
図２Ａに示すように、把持部材１２０が第一位置に位置した時、操作部１２１は第一ストッパー１３１と接し、把持部材１２０が収容スペース１１１内に入り過ぎないように防ぐ。この時、操作部１２１は収容スペース１１１から露出され、使用者が操作部１２１によって、把持部材１２０を上げ易くする。且つ制限部１２２は第二定位部１４２によって、第二定位部１４２の下方に制限され、制限部１２２がまだ上げられていない時、第二定位部１４２を跨ぐ前に、把持部材１２０を第一位置に固定して保持させることができ、揺れ動くことによって、収容スペース１１１内で移動することがない。
【００１８】
図２Ｂに示すように、使用者は把持部材１２０を上げ、制限部１２２が第二定位部１４２を跨いて、第三位置に到達させることができ、この時、制限部１２２は第一定位部１４１と第二定位部１４２の間に制限される。
【００１９】
または、図２Ｃに示すように、使用者は把持部材１２０を完全に上げ、制限部１２２が第一定位部１４１を跨いて、第二位置に到達させることができ、この時、制限部１２２は第二ストッパー１３２と接し、第二ストッパー１３２は把持部材１２０が収容スペース１１１から脱出するのを止めることができ、制限部１２２が第一定位部１４１を跨いだ後、第一定位部１４１は制限部１２２を第一定位部１４１と第二ストッパー１３２の間に固定して保持することができる。
【００２０】
注意すべきことは、変形例において、必要によって、第一定位部１４１と第二定位部１４２の間に複数の定位部を追加することができ、把持部材１２０が更なる多段の定位を実行できる。また、もう一つの変形例において、第一ストッパー１３１、第二ストッパー１３２、第一定位部１４１、及び第二定位部１４２は収容スペース１１１の任意の表面に設置することができ、図２Ａ〜図２Ｃのような前記表面に限らない。
【００２１】
本発明のハウジング構造１００の把持部材１２０は収容スペース１１１内に垂直に移動する。その受力方向は水平面と垂直しているので、比較的に大きな重力を受けることができる。また、把持部材１２０はハウジング１１０の上方から取出す。この設計によって、ハウジング１１０の周囲スペースの配置応用が更に弾力的に行える。
【００２２】
以上、本発明の好適な実施例を例示したがこれは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００２３】
１０  ハウジング構造
１００  ハウジング構造
１１  ハウジング
１１０  ハウジング
１１１  収容スペース
１２  把持部材
１２０  把持部材
１２１  操作部
１２２  制限部
１３  凹溝
１３１  第一ストッパー
１３２  第二ストッパー
１４１  第一定位部
１４２  第二定位部
【図１Ａ】
2012025464.tif 000003
【図１Ｂ】
2012025464.tif 000004
【図２Ａ】
2012025464.tif 000005
【図２Ｂ】
2012025464.tif 000006
【図２Ｃ】
2012025464.tif 000007
【図３】
2012025464.tif 000008